(57)【要約】【課題】洗面化粧台において、小物を効率よく収納でき、かつ、イスやチャイルドステップとして機能する洗面化粧台用床下収納装置を提供する。【解決手段】上部に蓋体１１が形成されている収納庫１と、この収納庫１を昇降させる昇降装置とを備えており、収納庫１は昇降装置によって洗面化粧台４前方の床面３に形成された開口部３１下方の位置から床面３上に突出自在とされ、この収納庫１の最下降位置では蓋体１１が床面３と略面一となり、上昇位置では蓋体１１がイス座または踏み板として機能することとする。【選択図】図１
2007262754.tif 000002
【特許請求の範囲】
【請求項１】
上部に蓋体が形成されている収納庫と、この収納庫を昇降させる昇降装置とを備えており、収納庫は昇降装置によって洗面化粧台前方の床面に形成された開口部下方の位置から床面上に突出自在とされ、この収納庫の最下降位置では蓋体が床面と略面一となり、上昇位置では蓋体がイス座または踏み板として機能することを特徴とする洗面化粧台用床下収納装置。
【請求項２】
棚板が設けられて収納庫を形成してなる枠体と蓋体とが固定されていることを特徴とする請求項１に記載の洗面化粧台用床下収納装置。
【発明の詳細な説明】
【技術分野】
【０００１】
本願発明は、洗面化粧台用床下収納装置に関するものである。
【背景技術】
【０００２】
従来より、システムキッチンユニットやトイレなどの狭いスペースにおいては、上方空間部に頭上収納棚を設けたり、床下に収納庫を設けたりして、小物などの物品を収納している。しかしながら、頭上収納棚は高い位置にあるため身長によっては背伸びした姿勢であるいは踏み台を用いて物品の出し入れが必要になる場合があること、床下の収納庫への物品の出し入れは屈み込むような無理な姿勢で行われる場合があるなど、必ずしも簡単に物品を出し入れできるものではなかった。そこで、頭上収納棚に物品を出し入れし易くするとともに床下に収納可能な踏台装置（たとえば、特許文献１参照）やトイレ用床下収納装置（たとえば、特許文献２参照）が提案されている。これら踏台装置やトイレ用床下収納装置は、いずれも床下に収納可能な収納庫を備えており、この収納庫を任意の位置に上昇させて踏み台として使用して頭上収納棚の物品の出し入れをし易くしている。
【０００３】
ところで、洗面化粧台においても小物を収容できるスペースが限られており、効率的に物品を収納することが求められている。また、洗面化粧台は、手や顔、髪などを洗ったり、歯磨きやお化粧などの身支度のためにイスや子供のためのチャイルドステップを必要する場合もあった。
【特許文献１】特開平１０−５４１８９号公報
【特許文献２】特開２００４−３５３２１１号公報
【発明の開示】
【発明が解決しようとする課題】
【０００４】
しかしながら、以上の収納庫、イスおよびチャイルドステップは、設置スペースの点で全てを設置することが難しいのが実情である。
【０００５】
そこで、本願発明では、以上のとおりの背景から、洗面化粧台において、小物を効率よく収納でき、かつ、イスやチャイルドステップとして機能する洗面化粧台用床下収納装置を提供することを課題としている。
【課題を解決するための手段】
【０００６】
本願発明の洗面化粧台用床下収納装置は、前記の課題を解決するものとして、第１には、上部に蓋体が形成されている収納庫と、この収納庫を昇降させる昇降装置とを備えており、収納庫は昇降装置によって洗面化粧台前方の床面に形成された開口部下方の位置から床面上に突出自在とされ、この収納庫の最下降位置では蓋体が床面と略面一となり、上昇位置では蓋体がイス座または踏み板として機能することを特徴とする。
【０００７】
第２には、上記第１の発明において、棚板が設けられて収納庫を形成してなる枠体と蓋体とが固定されていることを特徴とする。
【発明の効果】
【０００８】
上記第１の発明によれば、上部に蓋体が形成されている収納庫と、この収納庫を昇降させる昇降装置とを備えており、収納庫は昇降装置によって洗面化粧台前方の床面に形成された開口部下方の位置から床面上に突出自在とされ、この収納庫の最下降位置では蓋体が床面と略面一となり、上昇位置では蓋体がイス座または踏み板として機能することにより、狭いスペースでも効率よく小物を収納することができる。また、収納庫をイスやチャイルドステップとして使用できるため、洗面化粧台前で手や顔、髪などを洗ったり、歯磨きやお化粧などの身支度を楽な姿勢ですることができる。
【０００９】
上記第２の発明によれば、棚板が設けられて収納庫を形成してなる枠体と蓋体とが固定されていることにより、さらに小物を効率よく収納することができるとともに、人間が蓋体に座ったり、踏み台として用いたりして荷重をかけた場合でも、容易に壊れることがない。
【発明を実施するための最良の形態】
【００１０】
本願発明は上記のとおりの特徴をもつものであるが、以下に図面に沿ってその実施の形態について説明する。図１は本願発明の洗面化粧台用床下収納装置の斜視図であり、図２は洗面化粧台用床下収納装置の動作状態を示す断面図であり、図３は洗面化粧台用床下収納装置における収納庫の要部を拡大した斜視図である。図２，３において、（ａ）は収納庫が最下降位置の状態を示しており、（ｂ）は収納庫を最上位位置に保持させた状態を示している。
【００１１】
本願発明の洗面化粧台用床下収納装置Ａは、上部に蓋体１１が形成されている収納庫１と、この収納庫１を床下から床面３上方に昇降させる昇降装置２とを備えている。この昇降装置２は、床下に配設されている収納庫１を支持するとともに任意の位置の高さに保持することができる。このため、昇降装置２の作動によって収納庫１を洗面化粧台４前方の床面３に形成された開口部３１下方の位置から床面３上に突出させることで、蓋体１１をイス座または踏み板とし、収納庫１をイスやチャイルドステップとして用いることができる。
【００１２】
収納庫１は、収納庫１を構成する枠体と蓋体１１とが一体化して固定されていてもよい。たとえば、図３に示すように、収納庫１は、蓋体１１と、この蓋体１１を支えるための支柱１２と、蓋体１１と対向する位置に配置された底板１３と、蓋体１１と底板１３との間に配設された棚板１４とから箱状の枠体として形成されている。すなわち、この図では、支柱１２に蓋体１１が固定されている。このような構成の収納庫１は、棚板１４が設けられているため、小物を効率よく収納することができる。なお、図３では、棚板１４を一枚配設しているが、これに限定されるものではなく、棚板１４を複数枚配設してもよい。また、この収納庫１は、人間が蓋体１１に座ったり、踏み台として用いたりして荷重をかけた場合、支柱１２で蓋体１１を支持することになるため容易に壊れない。収納庫１の外形は、図１，２のように箱状に制限されず、たとえば、座りやすいように円柱状であってもよい。収納庫１における蓋体１１は、上記のとおりイス座または踏み板として機能し、洗面化粧台４の前方の床面３に設置されることを考慮すると、適度に摩擦力があって滑りにくく、かつ、耐水性に優れたものとすることが望まれる。具体的には蓋体１１表面に凹凸を設けるとともに耐水塗装を施したり、蓋体１１表面に耐水シートを配設することなどが挙げられる。
【００１３】
以上の収納庫１は、昇降装置２によって洗面化粧台４前方の床面３に形成された開口部３１下方の位置から床面３上に突出自在とされるが、この収納庫１の最下降位置では蓋体１１が床面３と略面一となるようにしている。また、床面３に形成された開口部３１は蓋体１１と略同形状に形成され、開口部３１と蓋体１１との隙間をできる限り小さくしている。これによって、収納庫１の最下降位置では床面３が平らとなり、つまずくことなく移動できる。
【００１４】
昇降装置２は、床面３に形成された開口部３１下方の床スラブ５の上に設置されている。この昇降装置２は、たとえば、リンク式のものが好適に用いられ、収納庫１底部に設けられた支持台２１と、この支持台２１を昇降させる上下方向に伸縮可能なリンク部材２２と、床スラブ５上に固定されリンク部材２２の下端部が取り付けられる取付台２３と、リンク部材２２の下端部に連結されているネジ付棒（図示なし）と、このネジ付棒を回転駆動させるモータ（図示なし）とで構成されており、モータによってネジ付棒を回転駆動させると、リンク部材２２が上下方向に伸縮して、収納庫１が任意の高さで昇降するようになっている。また、この昇降装置２のモータを駆動させる駆動スイッチ（図示なし）は、子供でも手が届く高さの位置の壁面に設けるようにしてもよい。そして、実際に駆動スイッチにて収納庫１を昇降させる際には、蓋体１１に座った状態あるいは蓋体１１に人が乗った状態のまま作動させて、身長に応じて使い易い高さになるまで適切にモータを駆動させて調整するようにする。これによって、洗面化粧台４前で楽な姿勢で身支度をすることができる。
【００１５】
本願発明の洗面化粧台用床下収納装置Ａは、収納庫１の下降作動中に床面３と収納庫１との間に手や足などが挟まった場合には、自動的に停止する、あるいは所定時間上昇作動するなど安全機構を設けてもよい。このような安全機構としては、たとえば、タッチセンサにて収納庫１の蓋体１１、棚板１４、底板１３などの外周端面や外周部縁近傍に人体が触れたことを検知し、これを受けてモータを停止するまたは上昇作動するように駆動させることなどが挙げられる。
【図面の簡単な説明】
【００１６】
【図１】本願発明の洗面化粧台用床下収納装置の斜視図である。
【図２】本願発明の洗面化粧台用床下収納装置の動作状態を示す断面図であり、（ａ）は収納庫が最下降位置の状態を示しており、（ｂ）は収納庫を最上位位置に保持させた状態を示している。
【図３】洗面化粧台用床下収納装置における収納庫の要部を拡大した斜視図であり、（ａ）は収納庫が最下降位置の状態を示しており、（ｂ）は収納庫を最上位位置に保持させた状態を示している。
【符号の説明】
【００１７】
１  収納庫
１１  蓋体
１２  支柱
１３  底板
１４  棚板
２  昇降装置
２１  支持台
２２  リンク部材
２３  取付台
３  床面
３１  開口部
４  洗面化粧台
５  床スラブ
Ａ  洗面化粧台用床下収納装置
【図１】
2007262754.tif 000003
【図２】
2007262754.tif 000004
【図３】
2007262754.tif 000005